(57)【特許請求の範囲】
【請求項１】
横枠と、側枠と、連結補助材と、キャップとを備え、連結補助材は、横枠と側枠の連結部で横枠の端部に取り付けてあり、側枠を横枠に任意の角度で連結するものであり、キャップは、連結補助材に取り付けてあり、横枠と側枠の任意の連結角度に合わせて取付自在なものであり、横枠と側枠の連結部を覆っていることを特徴とする簡易建物。
【発明の詳細な説明】
【技術分野】
【０００１】
本発明は、カーポート等の簡易建物に関する。
【背景技術】
【０００２】
図１２に示すように、従来のカーポート（簡易建物）１０１の屋根は長方形であった。
【先行技術文献】
【非特許文献】
【０００３】
【非特許文献１】第９１８頁「三協アルミ  エクステリア建材  エクステリア  総合カタログ  エクステリア  ２０１４→２０１５  ＥＸ」カタログＮｏ．ＳＴＸ０８１０Ｂ  三協立山株式会社  三協アルミ社  ２０１４年６月発行
【発明の概要】
【発明が解決しようとする課題】
【０００４】
しかし、敷地条件に対応できるような台形や多角形等の形状の屋根が求められていた。
【０００５】
そこで、本発明は、異形地に対応できる屋根を持つ簡易建物の提供を目的とする。
【課題を解決するための手段】
【０００６】
請求項１に記載の発明は、横枠と、側枠と、連結補助材と、キャップとを備え、連結補助材は、横枠と側枠の連結部で横枠の端部に取り付けてあり、側枠を横枠に任意の角度で連結するものであり、キャップは、連結補助材に取り付けてあり、横枠と側枠の任意の連結角度に合わせて取付自在なものであり、横枠と側枠の連結部を覆っていることを特徴とする簡易建物である。
【発明の効果】
【０００７】
請求項１に記載の発明によれば、キャップは側枠の長手方向の位置が長孔により調整できるから、前枠と側枠が角度を持って連結した場合でも横枠と側枠の連結部を覆って装着できる。したがって、簡易建物の屋根を異形地に対応して容易に設けることができると共に、横枠と側枠を直交させて連結する場合にも、共通のキャップを用いることができるため、外観意匠を統一することができる。
【図面の簡単な説明】
【０００８】
【図１】本発明の第１実施の形態にかかる簡易建物であって、図６に示すＢ部の平面図である。
【図２】図１に示す前枠と側枠との連結部にキャップを装着する前の状態を示す平面図である。
【図３】（ａ）は図１に示すＥ−Ｅ切断位置における側枠と連結補助材とを示す断面図、（ｂ）は図１に示すＦ−Ｆ切断位置における横枠と連結補助材とを示す断面図である。
【図４】図１に示す連結補助材の図であり、（ａ）は前側から見た正面図、（ｂ）は側面図、（ｃ）平面図である。
【図５】図１に示すキャップの図であり、（ａ）は横枠を挿入する側から見た正面図、（ｂ）は左側面図、（ｃ）は右側面図、（ｄ）は平面図、（ｅ）は底面図である。
【図６】本発明の第１実施の形態にかかる簡易建物であって、（ａ）は平面図、（ｂ）はＡ−Ａ断面図である。
【図７】本発明の第２実施の形態に係る簡易建物であって、屋根の前枠と側枠とを直交して配置した場合の連結部を示す平面図である。
【図８】本発明の第３実施の形態にかかる簡易建物であって、屋根の前枠と側枠の連結部を示す図であり、（ａ）は平面図、（ｂ）は（ａ）に示すＣ−Ｃ断面図、（ｃ）は（ａ）に示すＥ−Ｅ断面図である。
【図９】第１実施の形態にかかる簡易建物の変形例を示す平面図である。
【図１０】図９（ｃ）に示す連結部を拡大して示す平面図である。
【図１１】前枠と側枠との連結角度Ｒが１２０°と９０°とにおける連結部分の外観意匠を比較して示す図であり、（ａ１）〜（ａ３）は連結角度Ｒが１２０°の場合であり、（ａ１）は連結部分を下から見上げて見た底面図、（ａ２）は左側面図、（ａ３）は前側から見た正面図、（ｂ１）〜（ｂ３）は連結角度Ｒが９０°の場合であり、（ｂ１）は連結部分を下から見上げて見た底面図、（ｂ２）は左側面図、（ｂ３）は前側から見た正面図である。
【図１２】従来の簡易建物を示す斜視図である。
【発明を実施するための形態】
【０００９】
以下に、添付図面を参照して本発明の実施の形態を説明するが、まず図１〜図６を参照して本発明の第１実施の形態について説明する。  
図６に示すように、本発明の第１実施の形態にかかる簡易建物１は、カーポートであり、支柱３と、梁５と、梁５の上に設けた屋根７とを備えている。  
この簡易建物１は、敷地面積の形状や障害物がある等の理由により、四角形状のカーポートを施工できない為に、屋根７の形を異形にしている。即ち、屋根７は、前枠（横枠）９と、左側枠（以下単に「側枠」という）１１と、右側枠１３と、樋１５とを備えており、側枠１１は、前後方向で屈曲しており、前枠９と側枠１１との連結部１６は、連結角度Ｒを形成している。この実施の形態では、連結角度Ｒは１０４°である。  
図１に示すように、前枠９は、側枠側端面９ａを、側枠１１の長さ方向に沿って斜め切りしてある。切断角度Ｓは、前枠９と側枠１１とが成す連結角度Ｒと同じ角度である。  
側枠１１の前側端面１１ａは、前枠９の長さ方向に沿って斜め切りしてある。  
図１及び図２に示すように、連結部１６には、前枠９の側枠側端面９ａに取り付ける連結補助材１７と、前枠９と側枠１１とを連結する枠連結ねじ１９と、連結部１６を覆うキャップ２１とが設けてある。  
連結補助材１７は、図１〜図４に示すように、前枠９の側枠側端面９ａを覆うものであり、前後方向の寸法が前枠９の前後方向の寸法以上である。本明細書において、連結補助材１７の前後方向の寸法が前枠９の前後方向の寸法以上というのは、前枠９の中空部等の断面において連結補助材１７が覆うべき前枠９の主体となるべき部分の寸法であり、単に側枠１１との連結片９ｅやパネル押え用の突片９ｆ等の部分を含む寸法ではない。また、連結補助材１７は中空部等の主体部分を覆う為のものであり、中空部を形成している前枠材の肉厚部分の寸法は含まない。また、連結補助材１７は、前枠９の側枠側端面９ａで前枠９の中空部９ｂ内に上側と下側とで部分的に入り込む上嵌入部１８ａと下嵌入部１８ｂを有している。尚、この実施の形態では、横枠を前枠９としているが、横枠が樋である場合には樋の溝部等、横枠の断面において連結補助材１７が覆うべき横枠の主体となるべき部分の寸法であることは横枠が前枠９である場合と同様である。  
図３に示すように、上嵌入部１８ａの上面と下嵌入部１８ｂの下面とには、各々嵌合突起２３が設けてあり、各嵌合突起２３には前枠側程低くした傾斜面２３ａ（図３（ｂ）参照）が形成してある。  
図３及び図４に示すように、上嵌入部１８ａには、枠連結ねじ１９の挿通部２５が形成してある。図１に示すように、枠連結ねじ挿通部２５は上下に貫通する孔が形成してあり、枠連結ねじ挿通部２５の孔は前枠９の挿入方向に長い長孔である。  
図３及び図４に示すように、上嵌入部１８ａの上方には、前枠９の中空部９ｂよりも上側で前枠９から突出して位置するキャップ連結部２７が設けてある。図１及び図２に示すように、キャップ連結部２７は、前枠９及び側枠１１からずれて位置している。  
キャップ連結部２７には、上下方向に貫通し、側枠１１と平行な方向に長い長孔が形成されたキャップねじ挿通部２９が設けてある。  
前枠９と側枠１１を連結する枠連結ねじ挿通部２５の長孔と、キャップ２１を固定するキャップねじ挿通部２９の長孔は、互いに直交する方向の長孔である。  
枠連結ねじ１９はタッピンねじである。  
図１及び図５に示すように、キャップ２１は、平面視略四角形状を成し、横枠端面対向部２１ａと、側枠端面対向部２１ｂと、上面覆い部２１ｃと、下面覆い部２１ｄを備えている。また、横枠端面対向部２１ａの対向側が横枠挿入部２１ｅとしてあり、側枠端面対向部２１ｂの対向側が側枠挿入部２１ｆとしてある。  
図１、図２及び図５（ｄ）に示すように、上面覆い部２１ｃには、キャップ２１を連結補助材１７に取り付けるキャップねじ３１を挿通するねじ挿通部３３が形成してある。ねじ挿通部３３の孔は丸孔である。  
キャップねじ３１はタッピンねじである。  
次に、簡易建物１の施工について説明する。  
簡易建物１の施工は、図６に示すように、支柱３に梁５を取り付けた後、梁５の上に屋根７を組み付けるが、屋根７における前枠９と、側枠（左側枠）１１との取り付けは以下のようにして行う。  
図１及び図２に示すように、前枠９の側枠側端面９ａ及び側枠１１の前側端面１１ａを斜め切りにして切落とす。このとき、連結角度Ｒを形成するように、前枠９は、同じ切断角度Ｓで斜め切りし、左側枠１１は前枠９と平行になるように斜め切りする。  
次に、連結補助材１７を前枠９に装着するが、図２及び図３に示すように、連結補助材１７は上嵌入部１８ａ及び下嵌入部１８ｂを前枠９の側枠側端面９ａから前枠９の中空部１９ｂ内に挿入し、側枠１１を前枠９中空部１９ｂの上に重ねて上から枠連結ねじ１９で固定する。尚、側枠１１を前枠９に重ねる際には、図３（ａ）に示すように、前枠９の中空部９ｂの上側に突設している突片９ｃは、側枠１１との干渉を避ける為に切除する。
【００１０】
その後、図２及び図３に示すように、キャップ２１の各横枠挿入部２１ｅ、側枠挿入部２１ｆから各対応する枠の端部を挿入して、キャップ２１を連結部１６に被せた後、キャップねじ３１をキャップ２１のねじ挿通部３３から挿通して連結補助材１７のキャップねじ挿通部２９にねじ止めする。  
ここで、図７を参照して、本発明の第２実施の形態に係る簡易建物であって、屋根７の前枠９と側枠（左側枠）１１とを直交して配置した場合、即ち、連結角度Ｒを直角にして連結する場合についての連結部について説明する。  
尚、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に示すように、前枠９はその側枠側端面９ａを直角に切断してあり、側枠１１も前側端面１１ａを直角にして切断してある。連結補助材１７及びキャップ２１は、上述した第１実施の形態と同種のものが用いられている。  
連結補助材１７は前枠９及び側枠１１を斜め切りした場合と同様に、上嵌入部１８ａと下嵌入部１８ｂを前枠９の中空部９ｂ内に嵌入し、前枠９の端部と側枠の端部を重ね合わせて、上嵌入部１８ａの枠連結部ねじ挿通部２５に枠連結ねじ１９でねじ止めする。  
その後、前枠９と側枠１１との連結部１６にキャップ２１を被せて、キャップねじ３１を、連結補助材１７のキャップねじ挿通部２９に一致するように、位置を合わせて、キャップねじ３１をキャップのねじ挿通部３３から挿通して、キャップねじ３１でねじ止めする。
【００１１】
第１及び第２実施の形態によれば、キャップ２１は、側枠１１の長手方向の位置がキャプねじ挿通部２９の長孔により調整できるから、第１実施の形態のように前枠９と側枠１１が角度を持って連結した場合でも、また、第２実施の形態のように、前枠９と側枠１１を直角に連結した場合でも、前枠９の側枠側端面９ａ、側枠１１の前枠側端面１１ａ、連結補助材１７及び枠連結ねじ１９を覆ってキャップ２１を装着でき、これらの部材が見えることがない。したがって、第１実施の形態のように、簡易建物の屋根を異形地に対応して設けることができると共に、第２実施の形態のように、前枠９と側枠１１と直交させて連結する場合にも、共通のキャップ２１を用いることができるため、外観意匠を統一することができる。  
連結補助材１７において、前枠９と側枠１１を連結する枠連結ねじ挿通部２５と、キャップ２１を固定するキャップねじ挿通部２９は、互いに直交する長孔としてあるので、前枠９と側枠１１を角度を持って連結するために前枠９を斜め切りしてある場合であっても、キャップ２１を横枠端部に固定しやすいので、異形地対応が容易である。  
連結補助材１７は、前枠９の中空部９ｂ内の上側に上嵌入部１８ａが入り込み下側に下嵌入部１８ｂが入り込んで前枠９に嵌合しており、前枠９に上下で部分的に嵌合する構成としているから、嵌合部を前枠９の形状に一致させることが不要なので連結補助材１７を製造し易いと共に連結補助材１７の嵌合部を前枠の端面形状に一致させて嵌め入れる必要がないので施工し易い。また、連結補助材１７の前後方向寸法が前枠９の前後方向の寸法以上である為、前枠９を斜めに切断した場合でも、前枠９の端面を覆うことができる。よって、切断角度によって変わる前枠９の切断面形状に対応できるため、切断角度ごとに対応する連結補助材１７を用意する必要がない。  
図８に本発明の第３実施の形態にかかる簡易建物１を示す。この第３実施の形態では、右側枠１３に対して前枠９を連結角度Ｒを形成するように斜めに取付ける場合を示している。この第３実施の形態では、右側枠１３を連結角度Ｒで斜め切りしており、前枠９は側枠１１と平行な方向に斜め切りしている。角度Ｒは１１８°であり、第１実施の形態よりも大きい角度としている。  
この第３実施の形態では、枠連結ねじ１９は、枠連結ねじ挿通部２５に対する位置が第１実施の形態と略同じであるが、キャップねじ３１は、キャップねじ挿通部２９に対する位置が第１実施の形態よりも前側に位置している。  
この第３実施の形態によっても、第１及び２実施の形態と同様の作用効果を奏することができる。  
本発明は、上述した実施の形態に限らず、本発明の要旨を逸脱しない範囲で種々変形可能である。  
例えば、図９（ａ）（ｂ）（ｃ）に示すように、前枠９と側枠１１との成す連結角度Ｒは種々変形可能であり、図９に示す例では、（ａ）は１０８°、（ｂ）は１１４°、（ｃ）は１２０°であり、各種の角度の範囲に設計でき、８５°〜１２０°の角度範囲で連結することができる。図１０に図９（ｃ）の連結部を拡大して示すように、連結角度Ｒが１２０°の場合でも、キャップねじ３１は、連結補助材１７に設けてあるキャプねじ挿通部２９の長孔を側枠１１と平行な長孔にしているので、キャップ２１を側枠１１に沿って位置をずらすことができるから、このような１２０°の連結角度であってもキャップ２１で連結部１６を覆うことができる。  
ここで、連結角度Ｒが１２０°の場合と９０°の場合における外観意匠について説明する。図１１に示すように、連結角度が１２０°の場合（ａ１）〜（ａ３）において、（ａ２）に示す側面図は、連結角度が９０°の場合の側面図（ｂ２）とほとんど同じ外観意匠であり、（ａ３）に示す正面図も連結角度が９０°の場合の正面図（ｂ３）とほとんど同じ外観意匠である。また、連結部を下から見上げて見た場合の底面図は、連結角度１２０°の場合の（ａ１）は、連結角度が９０°の場合の（ｂ１）と比較して、前枠９と側枠１１との成す角度が異なる以外には、前枠９と側枠１１とキャップ２１とが連続した外観意匠を成しており、連結角度Ｒが１２０°と９０°との場合で統一した外観を得ることができる。このように、連結角度Ｒが１２０°の場合と９０°の場合における外観意匠は、共通のキャプ２１で前枠９と側枠１１との連結部を覆うので、いずれの方向から見た場合でも統一した外観意匠を得ることができる。同様に、連結角度Ｒが１２０°よりも小さい第１実施の形態の連結角度Ｒが１０４°の場合や、第３実施の形態の連結角度Ｒが１１８°の場合にも、同様に統一した外観意匠を得ることができるのである。  
本発明は、連結部１６の連結角度Ｒは８５°〜１２０°の角度範囲に限らず、設計次第では、これよりも小さい角度や広い角度で連結しても良く、連結補助材１７のキャプねじ挿通部２９の長孔の長さを調整することにより任意の角度で連結することができる。  
キャップ２１のねじ挿通部３３を長孔とし、連結補助材１７のキャップねじ挿通部２９を丸孔としても良いし、キャップ２１のねじ挿通部３３を長孔とし、連結補助材１７のキャップねじ挿通部２９も長孔としても良い。  
簡易建物１は、カーポートに限らず、屋根を有するものであれば、シェルター等であっても良い。  
【符号の説明】
【００１２】
１    簡易建物
９    前枠（横枠）
９ａ  側枠側端面（端部）
１１  側枠（左側枠）
１３  右側枠
１７  連結補助材
１９  枠連結ねじ
２１  キャップ
２５  枠連結ねじ挿通部
２７  キャップ連結部
２９  キャップねじ挿通部（長孔）
３１  キャップねじ
３３  ねじ挿通部
【図１】
0006408398.tif 000002
【図２】
0006408398.tif 000003
【図３】
0006408398.tif 000004
【図４】
0006408398.tif 000005
【図５】
0006408398.tif 000006
【図６】
0006408398.tif 000007
【図７】
0006408398.tif 000008
【図８】
0006408398.tif 000009
【図９】
0006408398.tif 000010
【図１０】
0006408398.tif 000011
【図１１】
0006408398.tif 000012
【図１２】
0006408398.tif 000013